(57)【要約】【課題】スピーカボックスの管理を容易にし、また、スピーカボックスの製造コストを低く抑えることができるスピーカの取付方法を提供する。【解決手段】スピーカボックス１は、スピーカの収納された一対の収納ボックス２，３と、収納ボックス２，３同士を連結するセンターグリル４とを備えている。収納ボックス２は、連結部２２の左端をセンターグリル４に挿通されて、センターグリル４に取り付けられる。また、筐体Ａ１の下縁部の後面に設けられた取付部Ａ１１に、取付部２３を取り付けられる。収納ボックス３は、収納ボックス２と左右を対称にした構成を有しており、筐体Ａ１の左側の取付部Ａ１１に収納ボックス２と同様にして取り付けられる。収納ボックス２，３にセンターグリル４を取り付けて形成されたスピーカボックス１は、収納ボックス２，３の取付部２３，３３を筐体Ａ１の取付部Ａ１１に取り付けられることで、筐体Ａ１に取り付けられる。【選択図】  図５
2009267891.tif 000002
【特許請求の範囲】
【請求項１】
スピーカボックスに収納されて筐体に取り付けられるスピーカの取付方法であって、
前記スピーカを収納する複数の収納部同士を連結部材で連結して一体化させてスピーカボックスを形成した後、前記筐体に取り付けることを特徴とするスピーカの取付方法。
【請求項２】
請求項１に記載のスピーカの取付方法に用いられるスピーカボックスであって、
スピーカを収納する複数の収納部と、各前記収納部が装着されて各前記収納部同士を連結する連結部材とを備えることを特徴とするスピーカボックス。
【請求項３】
前記連結部材は、一対の前記収納部が両端開口部から挿入される筒状体から構成され、
前記両端開口部からの各前記収納部の挿入量を切り替えて固定することにより、各前記収納部同士の位置関係を変更させることを特徴とする請求項２に記載のスピーカボックス。
【発明の詳細な説明】
【技術分野】
【０００１】
本発明は、スピーカの取付方法及び該方法に用いられるスピーカボックスに関する。
【背景技術】
【０００２】
テレビジョン装置において、液晶表示器やプラズマ表示器を採用し、画像サイズに対し奥行きを薄くしたいわゆる薄型テレビでは、下記の特許文献１に示すように、筐体の下縁部に左右に分かれてスピーカが取り付けられている。この種のスピーカには、下記の特許文献２に示すように、筐体に外付けされるものがある。
【０００３】
【特許文献１】特開２００６−３４５２９１号公報
【特許文献２】特開２００６−２２９６０５号公報
【発明の開示】
【発明が解決しようとする課題】
【０００４】
外付けスピーカは、薄型テレビのサイズに合わせたサイズのスピーカボックスに収納される。このため、筐体のサイズに合わせたスピーカボックスを、筐体のサイズと同じ種類だけ揃える必要があり、管理が難しく、また、筐体のサイズが多くなると、その分スピーカボックスの製造コストが高くなる傾向にあった。
【０００５】
本発明は斯かる課題に鑑みてなされたもので、上記課題を解決できるスピーカの取付方法及びスピーカボックスを提供することを目的とする。
【課題を解決するための手段】
【０００６】
このような目的を達成するために、本発明のスピーカの取付方法は、スピーカボックスに収納されて筐体に取り付けられるスピーカの取付方法であって、前記スピーカを収納する複数の収納部同士を連結部材で連結して一体化させてスピーカボックスを形成した後、前記筐体に取り付けることを特徴とする。
また、本発明は、上記スピーカの取付方法に用いられるスピーカボックスであって、スピーカを収納する複数の収納部と、各前記収納部が装着されて各前記収納部同士を連結する連結部材とを備えることを特徴とする。
また、本発明は、前記連結部材が、一対の前記収納部が両端開口部から挿入される筒状体から構成され、前記両端開口部からの各前記収納部の挿入量を切り替えて固定することにより、各前記収納部同士の位置関係を変更させることを特徴とする。
【発明の効果】
【０００７】
本発明によれば、１種類の収納ボックスを用いて様々な大きさの筐体にスピーカを取り付けられることから、スピーカボックスの管理を容易にし、また、スピーカボックスの製造コストを低く抑えることができる。
【発明を実施するための最良の形態】
【０００８】
以下、図面を参照して、本発明の最良の形態を説明する。図１は、本実施形態の薄型テレビＡの正面図である。図２は、薄型テレビＡに取り付けられるスピーカボックス１の後方からの分解斜視図である。図３は、収納ボックス２，３の連結部２２，３２とセンターグリル４との取付構造を示す断面図である。図４は、筐体Ａ１の取付部Ａ１１への収納ボックス２，３の取付構造を示す断面図である。なお、以下の説明で用いる上下，前後，左右の各方向は説明に用いる各図に示している。この上下，前後，左右は説明のために記載したもので、実際の配置と異なってよいことはもちろんである。
【０００９】
図１に示すように、スピーカボックス１は、薄型テレビＡの筐体Ａ１の下縁部に取り付けられる。薄型テレビＡは、載置面に載置されたスタンドＡ２で筐体Ａ１を支持している。
【００１０】
図２に示すように、スピーカボックス１は、スピーカの収納された一対の収納ボックス２，３と、両収納ボックス２，３同士を連結するセンターグリル４とを備えて構成されている。収納ボックス２は、スピーカを収納する略四角箱状を呈しており、その前側に位置して収納ボックス２の左方に延びた連結部２２と、収納ボックス２の上面から上方に延びた取付部２３とを備えている。
【００１１】
収納ボックス２の後壁には、音質調整に用いられる音質調整ダクト２１が開口している。音質調整ダクト２１は、小型スピーカで不足し易い低音域の音量を拡大するためのものであり、この音質調整ダクト２１の長さ及び開口面積を調整することで、目的とする音質への調整が行われる。
【００１２】
連結部２２は、収納ボックス２の右端から収納ボックス２の左側方にかけて、左右の両端を閉塞させた筒状を呈して延びている。連結部２２は、左端をセンターグリル４に挿通して、センターグリル４に取り付けられる。連結部２２の後面の左端部には、後面の上縁部及び下縁部の対向する位置に配置された一対の締結部２２ａが、左右方向に配列して備えられている。図２に示す例では、連結部２２の後面の上縁部に２つ、下縁部に２つそれぞれ締結部２２ａが設けられている。
【００１３】
図３に示すように、連結部２２には、前壁から後壁にかけて連結部２２内を前後方向に円筒状を呈して延びるボス２２ｂが、各締結部２２ａ毎に設けられている。各締結部２２ａは、前面から後面にかけて貫通するネジ孔を備えており、このネジ孔がボス２２ｂの内側と連通するように、ボス２２ｂに溶着されている。
【００１４】
図２に示すように、取付部２３は、収納ボックス２の上面で左右方向に延びた平板状の外観形状を有している。取付部２３の上縁部の左右の両端部には、一対の取付孔２３ａが設けられている。図４に示すように、各取付孔２３ａは、取付部２３の前面から後面にかけて貫通しており、後端開口部には取付孔２３ａに挿通されるネジ６の頭部を収容する凹部が形成されている。また、取付部２３の前面には、取付部２３の前方に延びる掛止片２３ｂが、左右の取付孔２３ａ間に位置して設けられている。
【００１５】
図４に示すように、筐体Ａ１の下縁部の後面には、収納ボックス２，３の取り付けられる取付部Ａ１１が設けられている。取付部Ａ１１は、筐体Ａ１の左右の両端部に形成されており、掛止片２３ｂ，３３ｂの掛け止められる掛止孔Ａ１１ａと、取付孔２３ａ，３３ａに挿通したネジ６の螺着されるネジ孔（不図示）とを備えている。取付部２３は、その前面を筐体Ａ１の右側の取付部Ａ１１に図４に示すように向かい合わせ、掛止孔Ａ１１ａに掛止片２３ｂを掛け止められて取付部Ａ１１に対する位置決めをされ、取付孔２３ａに挿通したネジ６が取付部Ａ１１のネジ孔（不図示）に螺着されることにより、筐体Ａ１の取付部Ａ１１に取り付けられる。
【００１６】
図２に示すように、収納ボックス３は、収納ボックス２と左右を対称にした構成を有しており、筐体Ａ１の左側の取付部Ａ１１に収納ボックス２と同様にして取り付けられる。
【００１７】
図２に示すように、センターグリル４は、収納ボックス２，３の連結部２２，３２の外径よりもやや大きな内径を有した筒状体から構成されている。センターグリル４の後面の右端部から左右の中央部にかけては、後面の上縁部及び下縁部の対向する位置に配置された一対の挿通孔４ａが、左右方向に配列して備えられている。また、センターグリル４の後面の左端部から左右の中央部にかけては、後面の上縁部及び下縁部の対向する位置に配置された一対の挿通孔４ｂが、左右方向に配列して備えられている。図に示す例では、センターグリル４の後面の上縁部及び下縁部に合計８つの挿通孔４ａ及び合計８つの４ｂが設けられている。図３に示すように、各挿通孔４ａ，４ｂは、センターグリル４の後壁を貫通している。
【００１８】
図５〜図７は、左右の収納ボックス２，３のセンターグリル４への組付方法を説明する上方からの斜視図である。図５〜図７に示すように、センターグリル４の２対の挿通孔４ａと、収納ボックス２の４つの締結部２２ａとが重なるように連結部２２をセンターグリル４に挿通させ、挿通孔４ａを通して締結部２２ａにネジ５を螺着することで、収納ボックス２がセンターグリル４に取り付けられる。同様に、センターグリル４の２対の挿通孔４ｂと、収納ボックス３の４つの締結部３２ａとが重なるように連結部３２をセンターグリル４に挿通させ、挿通孔４ｂを通して締結部３２ａにネジ５を螺着することで、収納ボックス３がセンターグリル４に取り付けられる。
【００１９】
この際、図５に示すように、４対の挿通孔４ａのうちの右端の２対の挿通孔４ａと締結部２２ａ、４対の挿通孔４ｂのうちの左端の２対の挿通孔４ｂと締結部３２ａとを重ね合わせてネジ５で締結することで、収納ボックス２と収納ボックス３との間隔を最も長くして、収納ボックス２，３をセンターグリル４に取り付けることができる。
【００２０】
また、図６に示すように、４対の挿通孔４ａのうちの左端の２対の挿通孔４ａと締結部２２ａ、４対の挿通孔４ａのうちの右端の２対の挿通孔４ｂと締結部３２ａとを重ね合わせてネジ５で締結することで、収納ボックス２と収納ボックス３との間隔を最も短くして、収納ボックス２，３をセンターグリル４に取り付けることができる。
【００２１】
また、図７に示すように、４対の挿通孔４ａのうちの左端から２つ目と右端から２つ目の一対の挿通孔４ａの間の何れか２対の挿通孔４ａと締結部２２ａとを重ね合わせてネジ５で締結し、４対の挿通孔４ｂのうちの左端から２つ目と右端から２つ目の一対の挿通孔４ｂの間の何れか２対の挿通孔４ｂと締結部３２ａとを重ね合わせてネジ５で締結することで、収納ボックス２と収納ボックス３との間隔を最長と最短の間で選択して、収納ボックス２，３をセンターグリル４に取り付けることができる。
【００２２】
収納ボックス２，３にセンターグリル４を取り付けて一体化することで、スピーカボックス１が形成される。このようにして構成されたスピーカボックス１は、上述したように、収納ボックス２，３の取付部２３，３３を筐体Ａの取付部Ａ１１に取り付けられることで、筐体Ａ１に取り付けられる。
【００２３】
本実施形態によれば、スピーカを収納する複数の収納ボックス２，３同士をセンターグリル４で連結して一体化させてスピーカボックス１を形成した後に筐体Ａ１に取り付けることから、収納ボックス２，３同士の位置関係をセンターグリル４に対する取付位置を選択することで変更することができる。このため、長さの異なる複数のスピーカボックス１を、同じ部品構成で作成することができ、部品の共通化が可能となる。従って、スピーカボックス１の部品管理を容易にし、また、部品共通化による部品単価の削減により、スピーカボックス１の製造コストを低く抑えることができる。
【００２４】
また、センターグリル４と収納ボックス２，３をネジ止めしてスピーカボックス１が構成されていることから、完成後にスピーカボックス１の長さを変更する必要が生じた場合でも、ネジを一度外してセンターグリル４に対する収納ボックス２，３の取付位置を変更した後、再度ネジ止めして取り付けることができ、変更作業を容易にすることができる。
【００２５】
また、本実施形態によれば、薄型テレビＡの筐体Ａ１が備える取付部Ａ１１の形成位置、つまり、筐体Ａのサイズに合わせて、収納ボックス２，３とセンターグリル４とをネジ５で締結する挿通孔４ａ，４ｂを選ぶことにより、様々な大きさの筐体Ａに収納ボックス２，３を取り付けることができる。このため、１種類のスピーカボックス１を用いることで、様々な大きさの筐体Ａにスピーカを取り付けることが可能となる。
【００２６】
また、筐体Ａのサイズに拘わらずに同じ収納ボックス２，３に収納してスピーカを取り付けることから、収納ボックス２，３の条件を常に一定に保ってスピーカの音質調整を行うことができ、音質調整の際には収納ボックス２，３の取付位置、つまり、筐体Ａのサイズのみを考慮すれば足りる。このため、スピーカの音質調整の作業を容易にすることができる。
【００２７】
センターグリル４に対する収納ボックス２，３の取付方法は、強度及び振動等を考慮しネジ止めによるのが好ましいが、その方法は任意であり、例えば、リベット止め又は溶着止めをしてもよい。また、筐体Ａの取付部Ａ１１に対する収納ボックス２，３の取付方法は、取り付け及び取り外しができるようビス止めによるのが好ましいが、その方法は任意であり、リベット止め又は溶着止めとしてもよい。
【００２８】
尚、ネジ止めによれば、一度取り付けが完了した後に、取り外して長さ変更する事も可能である。このため、筐体Ａのサイズに合わせて、ユーザがスピーカボックス１を任意の長さに変更することも可能となり、フレキシブルなデザインのスピーカボックス１を提供することができる。
【００２９】
また、連結部２２，３２及びセンターグリル４の形状は、センターグリル４に連結部２２，３２に挿通させて互いの位置決めをできるのであれば、任意である。例えば、図８に示すように、収納ボックス２，３の連結部２２，３２が後壁を備えずに後側を開放させた略Ｕ字状の断面形状を有する筒状を呈していてもよい。また、図９に示すように、センターグリル４が後壁の高さ方向の中央部を左端から右端にかけて開放させ、略Ｕ字状の断面形状を有する筒状を呈していてもよい。また、図１０に示すように、収納ボックス２，３が図８に示す略Ｕ字状の断面形状を有する連結部２２，３２を備え、センターグリル４が図９に示す略Ｕ字状の断面形状を有していてもよい。
【００３０】
これらの構成によれば、連結部２２，３２又はセンターグリル４が略Ｕ字状の断面形状を有していることから、金型を用いてこれらを形成する作業を簡略化できる。また、開放した連結部２２，３２及びセンターグリル４の後面側は、前方からは見えず、また、スタンドＡ２に隠れて後方からも見えないため、外観を損なうこともない。
【００３１】
また、上記実施形態では、収納ボックス２，３を連結部２２，３２を介してセンターグリル４に取り付ける構成とし、センターグリル４に対する連結部２２，３２の取付位置を変えることで、収納ボックス２，３同士の間隔を筐体Ａのサイズに合わせた場合について説明したが、筐体Ａのサイズに合わせた長さのセンターグリル４に収納ボックス２，３を取り付けることで、収納ボックス２，３同士の間隔を筐体Ａのサイズに合わせるようにしてもよい。
【００３２】
例えば、図１１に示すように、大型，中型，小型の３種類のサイズの筐体Ａに収納ボックス２，３を取り付ける場合、図１１（ａ）に示す大型の筐体Ａ用のセンターグリル４１，図１１（ｂ）に示す中型の筐体Ａ用のセンターグリル４２，図１１（ｃ）に示す小型の筐体Ａ用のセンターグリル４３を、筐体Ａのサイズに合わせて用いて、センターグリル４１〜４３に連結した収納ボックス２，３を筐体Ａに取り付けてもよい。なお、センターグリル４１〜４３には、後部カバー４１ａ〜４３ａが設けられているが、後部カバー４１ａ〜４３ａを備えない構成としてもよい。
【図面の簡単な説明】
【００３３】
【図１】本発明の一実施形態の薄型テレビの正面図である。
【図２】図１に示す薄型テレビに取り付けられるスピーカボックスの後方からの分解斜視図である。
【図３】図２に示す収納ボックスの連結部とセンターグリルとの取付構造を示す断面図である。
【図４】薄型テレビの筐体の取付部への収納ボックスの取付構造を示す断面図である。
【図５】左右の収納ボックスのセンターグリルへの組付方法を説明する第１の図である。
【図６】左右の収納ボックスのセンターグリルへの組付方法を説明する第２の図である。
【図７】左右の収納ボックスのセンターグリルへの組付方法を説明する第３の図である。
【図８】収納ボックスの連結部及びセンターグリルの断面形状の変形例を説明する第１の図である。
【図９】収納ボックスの連結部及びセンターグリルの断面形状の変形例を説明する第２の図である。
【図１０】収納ボックスの連結部及びセンターグリルの断面形状の変形例を説明する第３の図である。
【図１１】スピーカボックスの変形例を説明する図である。
【符号の説明】
【００３４】
１                スピーカボックス
２，３            収納ボックス
４                センターグリル
２２，３２        連結部
２２ａ，３２ａ    締結部
２２ｂ，３２ｂ    ボス
２３，３３        取付部
２３ａ，３３ａ    取付孔
２３ｂ，３３ｂ    掛止片
Ａ                薄型テレビ
Ａ１              筐体
Ａ１１            取付部
４ａ，４ｂ        挿通孔
【図１】
2009267891.tif 000003
【図２】
2009267891.tif 000004
【図３】
2009267891.tif 000005
【図４】
2009267891.tif 000006
【図５】
2009267891.tif 000007
【図６】
2009267891.tif 000008
【図７】
2009267891.tif 000009
【図８】
2009267891.tif 000010
【図９】
2009267891.tif 000011
【図１０】
2009267891.tif 000012
【図１１】
2009267891.tif 000013